(57)【要約】【課題】簡単な操作で立体的な組立て状態から展開状態にすることにより、廃棄時の体積を小さくすることができる箱本体又は蓋体の易廃棄構造の提供を図る。【解決手段】中央部１と、この中央部１の周囲から延設され折り目線によって中央部１に対して折り曲げられた外壁部と、この外壁部の内側に折り返される内壁部３ｂ，３ｒと、内壁部３ｂ，３ｒの先端側に折り目線ｙ１を介して延設され中央部１に沿わされて配設された重ね部４ｂ，４ｒとを備えた箱本体又は蓋体である。重ね部４ｂには、内壁部３ｂと重ね部４ｂとの境界をなす折り目線ｙ１と重ね部４ｂ先端との間に弱め部４１が形成されている。この弱め部４１を破ることで内壁部３ｂを内側に引き出し易くする。弱め部４１を折り目線に変更して実施することもできる。【選択図】図３
0003150193.tif 000002
【実用新案登録請求の範囲】
【請求項１】
中央部と、この中央部の周囲から延設され折り目線によって中央部に対して折り曲げられた外壁部と、この外壁部の内側に折り返される内壁部と、内壁部の
先端側に折り目線を介して延設され中央部に沿わされて配設された重ね部とを備えた箱本体又は蓋体の易廃棄構造において、
この重ね部には、内壁部と重ね部との境界をなす折り目線と重ね部先端との間に屈曲操作部が設けられたものであり、
この屈曲動作部は、重ね部に切り目を設けるための弱め部と、重ね部を折り曲げるための折り目線との少なくともいずれか一方を備えたものであり、この弱め部から折り重ね部を破ることにより若しくはこの折り目線を折り曲げることにより、重ね部を屈曲させて内壁部を内側に引き出し易くしたことを特徴とする箱本体又は蓋体の易廃棄構造。
【請求項２】
前記の中央部が平面視矩形状であり、この中央部の前後左右の４辺から延設され折り目線によって中央部に対して折り曲げられた前後左右の外壁部と、この前後左右の外壁部の内側に折り返される前後左右の内壁部と、この前後左右の内壁部の先端側に折り目線を介して延設され中央部に沿わされて配設された前後左右の重ね部とを備えたものであり、
この重ね部には、前後重ね部の両端の上に左右重ね部の両端が重ねられることにより、前後の重ね部及び前後の内壁部の動きが規制されたものであり、
前後の重ね部には、前記の屈曲動作部として、前後方向に左右の弱め部が形成され、
前後の内壁部には、上記の右の弱め部から右斜め方向に折り目線が形成され、上記の左の弱め部から左斜め方向に折り目線が形成され、
上記の左右の弱め部を破ることで前後の内壁部を内側に引き出し易くしたことを特徴とする請求項１記載の箱本体又は蓋体の易廃棄構造。
【請求項３】
前後の重ね部には、前後方向に前記の左右の弱め部が形成されると共に、これらの左右の弱め部間の重ね部を前後方向に延設したつまみ部が形成され、左右重ね部には切り込みが形成されたことを特徴とする請求項２記載の箱本体又は蓋体の易廃棄構造。
【請求項４】
前記の中央部が平面視矩形状であり、この中央部の前後左右の４辺から延設され折り目線によって中央部に対して折り曲げられた前後左右の外壁部と、この前後左右の外壁部の内側に折り返される前後左右の内壁部と、この前後左右の内壁部の先端側に折り目線を介して延設され中央部に沿わされて配設された前後左右の重ね部とを備えたものであり、
この重ね部には、前後重ね部の両端の上に左右重ね部の両端が重ねられることにより、前後の重ね部及び前後の内壁部の動きが規制されたものであり、
前後の重ね部には、前記の屈曲動作部として、内壁部と重ね部との間の折り目線から重ね部の先端に向けて斜め方向に伸びる左右の折り目線が形成され、この左右の折り目線間の間隔は、重ね部の先端に向かうに従って漸次小さくなっていくものであり、
前後の内壁部には、上記の右の折り目線から右斜め方向に折り目線が形成され、上記の左の折り目線から左斜め方向に折り目線が形成され、
上記の重ね部の左右の折り目線を折り曲げることで前後の内壁部を内側に引き出し易くしたことを特徴とする請求項１記載の箱本体又は蓋体の易廃棄構造。
【請求項５】
前後の重ね部には、前記の左右の折り目線の間に少なくとも１本の中央の折り目線が形成され、
前後の内壁部には、指を挿入できる穴が形成され、この穴から上記の中央の折り目線が重ね片の先端方向に伸びており、
左右重ね部には切り込みが形成されたことを特徴とする請求項４記載の箱本体又は蓋体の易廃棄構造。
【請求項６】
左右の外側壁の前後両端と前後の外側壁の左右両端との間に連絡部が設けられ、この連絡部が折り曲げられて前後の外側側壁と内側側壁との間に挿入されることにより、糊付けなどの紙の組み合わせ以外の固定手段を用いることなく組立て状態を維持することができるものであることを特徴とする請求項２〜５のいずれかに記載の箱本体又は蓋体の易廃棄構造。
【請求項７】
左右の内側壁の前後両端から差し込み部が折り目線を介して突設され、この差し込み片が前後の外側側壁と内側側壁との間に挿入されることにより、糊付けなどの紙の組み合わせ以外の固定手段を用いることなく組立て状態を維持することができるものであることを特徴とする請求項２〜５のいずれかに記載の箱本体又は蓋体の易廃棄構造。
【考案の詳細な説明】
【技術分野】
【０００１】
本願考案は、箱本体又は蓋体の易廃棄構造に関するものである。
【背景技術】
【０００２】
従来より、特許文献１に示すように、組立式の箱本体や蓋体が知られている。また特許文献２、３に示すように、組立てた箱本体や蓋体を簡単に潰すようにすることができたものも提案されている。ところが、特許文献２、３にあっても、組立状態から展開状態に簡単に潰すことができるようにしたものではなく、一般消費者にあっては展開状態にするために手間どったりする。
【０００３】
【特許文献１】特開２０００−２３８７７９号
【特許文献２】特開２００２−３３２０２９号公報
【特許文献３】特開２００５−２２７３４号公報
【考案の開示】
【考案が解決しようとする課題】
【０００４】
本願考案は、簡単な操作で立体的な組立て状態から展開状態にすることにより、廃棄時の体積を小さくすることができる箱本体又は蓋体の易廃棄構造の提供を図ることにある。
【課題を解決するための手段】
【０００５】
本願の請求項１に係る考案は、中央部と、この中央部の周囲から延設され折り目線によって中央部に対して折り曲げられた外壁部と、この外壁部の内側に折り返される内壁部と、内壁部の先端側に折り目線を介して延設され中央部に沿わされて配設された重ね部とを備えた箱本体又は蓋体の易廃棄構造において、この重ね部には、内壁部と重ね部との境界をなす折り目線と重ね部先端との間に屈曲操作部が設けられたものであり、この屈曲動作部は、重ね部に切り目を設けるための弱め部と、重ね部を折り曲げるための折り目線との少なくともいずれか一方を備えたものであり、この弱め部から折り重ね部を破ることにより若しくはこの折り目線を折り曲げることにより、重ね部を屈曲させて内壁部を内側に引き出し易くしたことを特徴とする箱本体又は蓋体の易廃棄構造を提供する。
【０００６】
本願の請求項２に係る考案は、前記の中央部が平面視矩形状であり、この中央部の前後左右の４辺から延設され折り目線によって中央部に対して折り曲げられた前後左右の外壁部と、この前後左右の外壁部の内側に折り返される前後左右の内壁部と、この前後左右の内壁部の先端側に折り目線を介して延設され中央部に沿わされて配設された前後左右の重ね部とを備えたものであり、この重ね部には、前後重ね部の両端の上に左右重ね部の両端が重ねられることにより、前後の重ね部及び前後の内壁部の動きが規制されたものであり、前後の重ね部には、前記の屈曲動作部として、前後方向に左右の弱め部が形成され、前後の内壁部には、上記の右の弱め部から右斜め方向に折り目線が形成され、上記の左の弱め部から左斜め方向に折り目線が形成され、上記の左右の弱め部を破ることで前後の内壁部を内側に引き出し易くしたことを特徴とする請求項１記載の箱本体又は蓋体の易廃棄構造を提供する。
本願の請求項３に係る考案は、前後の重ね部には、前後方向に前記の左右の弱め部が形成されると共に、これらの左右の弱め部間の重ね部を前後方向に延設したつまみ部が形成され、左右重ね部には切り込みが形成されたことを特徴とする請求項２記載の箱本体又は蓋体の易廃棄構造を提供する。
【０００７】
本願の請求項４に係る考案は、前記の中央部が平面視矩形状であり、この中央部の前後左右の４辺から延設され折り目線によって中央部に対して折り曲げられた前後左右の外壁部と、この前後左右の外壁部の内側に折り返される前後左右の内壁部と、この前後左右の内壁部の先端側に折り目線を介して延設され中央部に沿わされて配設された前後左右の重ね部とを備えたものであり、この重ね部には、前後重ね部の両端の上に左右重ね部の両端が重ねられることにより、前後の重ね部及び前後の内壁部の動きが規制されたものであり、前後の重ね部には、前記の屈曲動作部として、内壁部と重ね部との間の折り目線から重ね部の先端に向けて斜め方向に伸びる左右の折り目線が形成され、この左右の折り目線間の間隔は、重ね部の先端に向かうに従って漸次小さくなっていくものであり、前後の内壁部には、上記の右の折り目線から右斜め方向に折り目線が形成され、上記の左の折り目線から左斜め方向に折り目線が形成され、上記の重ね部の左右の折り目線を折り曲げることで前後の内壁部を内側に引き出し易くしたことを特徴とする請求項１記載の箱本体又は蓋体の易廃棄構造を提供する。
本願の請求項５に係る考案は、前後の重ね部には、前記の左右の折り目線の間に少なくとも１本の中央の折り目線が形成され、前後の内壁部には、指を挿入できる穴が形成され、この穴から上記の中央の折り目線が重ね片の先端方向に伸びており、左右重ね部には切り込みが形成されたことを特徴とする請求項４記載の箱本体又は蓋体の易廃棄構造を提供する。
【０００８】
本願の請求項６に係る考案は、左右の外側壁の前後両端と前後の外側壁の左右両端との間に連絡部が設けられ、この連絡部が折り曲げられて前後の外側側壁と内側側壁との間に挿入されることにより、糊付けなどの紙の組み合わせ以外の固定手段を用いることなく組立て状態を維持することができるものであることを特徴とする請求項２〜５のいずれかに記載の箱本体又は蓋体の易廃棄構造を提供する。
【０００９】
本願の請求項７に係る考案は、左右の内側壁の前後両端から差し込み部が折り目線を介して突設され、この差し込み片が前後の外側側壁と内側側壁との間に挿入されることにより、糊付けなどの紙の組み合わせ以外の固定手段を用いることなく組立て状態を維持することができるものであることを特徴とする請求項２〜５のいずれかに記載の箱本体又は蓋体の易廃棄構造を提供する。
【考案の効果】
【００１０】
本願考案は、簡単な操作で立体的な組立て状態から展開状態にすることにより、廃棄時の体積を小さくすることができる箱本体又は蓋体の易廃棄構造を提供することができたものである。
本願の請求項２又は３に係る箱本体又は蓋体の易廃棄構造にあっては、弱め線から重ね部を破ることによって、簡単に前後の内壁部を内側に引き出すことができて展開状態にすることができる。
本願の請求項４又は５に係る箱本体又は蓋体の易廃棄構造にあっては、折り目線から重ね部を折ることによって、簡単に前後の内壁部を内側に引き出すことができて展開状態にすることができる。
本願の請求項６又は７に係る箱本体又は蓋体の易廃棄構造にあっては、糊付けなどの紙の組み合わせ以外の固定手段を用いることなく組立て状態を維持することができ、この組立て状態を解除して容易に展開状態にすることができる。
【考案を実施するための最良の形態】
【００１１】
以下、図部に基づき本願考案の実施の形態を説明する。
図１は箱本体又は蓋体の展開図であり、図２は同箱本体又は蓋体の組立て状態の要部斜視図であり、図３は同箱本体又は蓋体を潰す際の操作説明図である。
【００１２】
この箱本体又は蓋体（以下、カートンという）は、矩形の中央部１を中心に、その前後左右辺から谷折り目線ｔ１を介して前外壁部２ｆ，後外壁部２ｂ，左外壁部２ｌ，右外壁部２ｒが延設されている。なお、以下の説明で、谷折り目線は図１の展開状態において谷折り状に形成される折り目線をいい、山折り目線は同展開状態において山折り状に形成される折り目線を言う。
【００１３】
前外壁部２ｆ，後外壁部２ｂ，左外壁部２ｌ，右外壁部２ｒからは、谷折り目線ｔ２を介して前内壁部３ｆ，後内壁部３ｂ，左内壁部３ｌ，右内壁部３ｒが延設され、前内壁部３ｆ，後内壁部３ｂ，左内壁部３ｌ，右内壁部３ｒからは、山折り目線ｙ１を介して前重ね部４ｆ，後重ね部４ｂ，左重ね部４ｌ，右重ね部４ｒが形成されている。前外壁部２ｆ，後外壁部２ｂ，左外壁部２ｌ，右外壁部２ｒの長手方向の両端間には、谷折り目線ｔ３を介して前左連絡部６ｌｆ，後左連絡部６ｌｂ，前右連絡部６ｒｆ，後右連絡部６ｒｂが形成されており、この前左連絡部６ｌｆ，後左連絡部６ｌｂ，前右連絡部６ｒｆ，後右連絡部６ｒｂには中央部１の各頂点から斜め方向に山折り目線ｙ４が形成されている。
【００１４】
左内壁部３ｌ，右内壁部３ｒの前後両端からは、山折り目線ｙ３を介して、前左挿入部３ｌｆ，後左挿入部３ｌｂ，前右挿入部３ｒｆ，後右挿入部３ｒｂが形成されている。
【００１５】
以上の構成は、従来周知のカートンの構成と同じであり、このカートンは、各折り目線が折られることにより接着剤などを用いずに組立てることができる。具体的には、中央部１から前外壁部２ｆ，後外壁部２ｂ，左外壁部２ｌ，右外壁部２ｒが立ち上げられて、前外壁部２ｆ，後外壁部２ｂ，左外壁部２ｌ，右外壁部２ｒの内側に前内壁部３ｆ，後内壁部３ｂ，左内壁部３ｌ，右内壁部３ｒが折り返されて、前重ね部４ｆ，後重ね部４ｂ，左重ね部４ｌ，右重ね部４ｒが中央部１上に重ねられる。その際、前内壁部３ｆ，後内壁部３ｂ，左内壁部３ｌ，右内壁部３ｒと、山折り目線ｙ４から二つ折りにされた前左連絡部６ｌｆ，後左連絡部６ｌｂ，前右連絡部６ｒｆ，後右連絡部６ｒｂとは、前外壁部２ｆ，後外壁部２ｂと前内壁部３ｆ，後内壁部３ｂの間に挿入される。これにより、左外壁部２ｌ，右外壁部２ｒと左内壁部３ｌ，右内壁部３ｒとが固定される。また、前重ね部４ｆ，後重ね部４ｂの左右両端が、左重ね部４ｌ，右重ね部４ｒの下方に配置されることにより、前外壁部２ｆ，後外壁部２ｂと前内壁部３ｆ，後内壁部３ｂが固定される。
【００１６】
このカートンの特徴は、以下の点にある。
第１に、前重ね部４ｆ，後重ね部４ｂには、前後方向に伸びる２本の弱め部４１が形成されている。この弱め部４１は、山折り目線ｙ１と前重ね部４ｆ，後重ね部４ｂの先端との間に設けられたものである。
第２に、この２本の弱め部４１同士の間は、引き出し部とされており、その先端側には山折り目線ｙ５を介して前つまみ部５ｆ，後つまみ部５ｂが形成されている。この前つまみ部５ｆ，後つまみ部５ｂは摘んで引き出し易くするために設けられたものであり、省略してもよい。また山折り目線ｙ５は、組立て状態では未だ折られておらず、折れ曲がり易いように押し罫などの折り癖がつけられているに止まり、場合によっては省略して実施できる。
第３に、前内壁部３ｆ，後内壁部３ｂには、上記の右の弱め部４１から右斜め方向に谷折り目線ｔ１０が形成され、上記の左の弱め部４１から左斜め方向に谷折り目線ｔ１０が形成されている。この谷折り目線ｔ１０は、組立て状態では未だ折られておらず、折れ曲がり易いように押し罫などの折り癖がつけられているに止まり、場合によっては省略して実施できる。
第４に、左重ね部４ｌ，右重ね部４ｒには、切り込み４２が形成されている。この切り込み４２は、展開状態になったカートンを手で引き裂いて破り易くするためのもので、カートンの紙の目の方向は、左右方向としておくことが望ましい。
【００１７】
このカートンを潰すときの操作方法を説明すると、まず、前つまみ部５ｆ，後つまみ部５ｂをカートンの中央方向に引く。これにより、前内壁部３ｆ，後内壁部３ｂの中央部分が、カートンの中央方向に引っぱられるが、前内壁部３ｆ，後内壁部３ｂの左右は左重ね部４ｌ，右重ね部４ｒに当たって動かない。
なおも、前つまみ部５ｆ，後つまみ部５ｂを引き続けると、前重ね部４ｆ，後重ね部４ｂが上記の弱め部４１から破れる。これによって、前内壁部３ｆ，後内壁部３ｂの中央部分が、カートンの中央方向に引き出されるとともに、前内壁部３ｆ，後内壁部３ｂが上記の谷折り目線ｔ１０に沿って折り曲がり、より大きく前内壁部３ｆ，後内壁部３ｂの中央部分が引き出される。
さらに前つまみ部５ｆ，後つまみ部５ｂを引き続けると、前内壁部３ｆ，後内壁部３ｂの左右辺及び前重ね部４ｆ，後重ね部４ｂが、左重ね部４ｌ，右重ね部４ｒから抜け出して、自由状態となる。これにより、このカートンの組立ての固定は壊れたことになり、前後左右に各辺を展開することができる。
最後に、切り込み４２から引き裂くことによって、より小さなゴミとすることができる。
【００１８】
図４は、他の実施の形態を示すもので、この例では、側壁の厚みを大きくするために、
前外壁部２ｆ，後壁部２ｂ，左外壁部２ｌ，右外壁部２ｒと前内壁部３ｆ，後内壁部３ｂ，左内壁部３ｌ，右内壁部３ｒとの間に谷折り目線ｔ４と、谷折り目線ｔ５とを介して、壁厚み部７を設けた点が、先の図１の例と相違するが、他の部分については、先の例と同じである。
【００１９】
図５は、さらに他の実施の形態を示すもので、この例では、前後の重ね部４ｆ，４ｂ  には、ｙ１山折り目線から重ね部４ｆ，４ｂの先端の略１点に向けて斜め方向に伸びる左右の折り山折り目線ｙ１０，ｙ１０が形成されている。左右の折り山折り目線ｙ１０，ｙ１０は、前述の前内壁部３ｆ，後内壁部３ｂにおける谷折り目線ｔ１０の略延長線上に設けることが望ましい。また、前後の重ね部４ｆ，４ｂには、左右の折り山折り目線ｙ１０，ｙ１０の間に中央の山折り目線ｙ１１が形成されている。さらに、前内壁部３ｆ，後内壁部３ｂには、指を挿入できる穴３１が形成されている。
【００２０】
箱を潰すときには、この穴３１に指を入れて、箱の中央方向に引くことによって、左右の折り山折り目線ｙ１０，ｙ１０及び中央の山折り目線ｙ１１がそれぞれ折れ曲がり、前後の重ね部４ｆ，４ｂが先の実施の形態と同様に屈曲して、前内壁部３ｆ，後内壁部３ｂの左右辺及び前重ね部４ｆ，後重ね部４ｂが、左重ね部４ｌ，右重ね部４ｒから抜け出して、自由状態となる。これにより、このカートンの組立ての固定は壊れたことになり、前後左右に各辺を展開することができる。
なお図示は省略するが、この図５に示す考案は、図４に示すような、側壁の厚みを大きくしたものにも適用できる。
【００２１】
このほかにも、本願考案は種々変更することができるものであり、たとえば、弱め部４１の数は１本設けるだけでもよく、逆に３本以上設けてもよい。左重ね部４ｌ，右重ね部４ｒは、中央部１の略全体を覆うように、長く設けてもよい。ただし、潰す作業の際に、前内壁部３ｆ，後内壁部３ｂの左右辺及び前重ね部４ｆ，後重ね部４ｂが、左重ね部４ｌ，右重ね部４ｒから抜け出すことができるように変形させておくなど、配慮が必要がある。
【００２２】
弱め部４１は、打ち抜いたミシン目の他、半打ち抜きの線でもよく、切り目を入れておくだけでもよい。要は、前内壁部３ｆ，後内壁部３ｂの中央部分を引っ張ったときに、前重ね部４ｆ，後重ね部４ｂが破れやすくしておけばよい。また、前つまみ部５ｆ，後つまみ部５ｂに矢印を印刷するなどの、潰し方の説明を設けておくことも望ましい。カートンの平面形状は、４角形の他、３角形、５角形以上であってもよく、材質は、紙の他、合成樹脂や金属箔との複合材料製や、破り易い合成樹脂製など、手の力で弱め部４１が破れて容易に展開できるものであればよい。
【図面の簡単な説明】
【００２３】
【図１】第１の実施の形態に係る箱本体又は蓋体の展開図
【図２】同箱本体又は蓋体の組立て状態の要部斜視図
【図３】同箱本体又は蓋体を潰す際の操作説明図である。
【図４】第２の実施の形態に係る箱本体又は蓋体の展開図
【図５】第３の実施の形態に係る箱本体又は蓋体の展開図
【図６】同箱本体又は蓋体を潰す際の操作説明図である。
【符号の説明】
【００２４】
１…中央部  
２ｆ，２ｂ，２ｌ，２ｒ…外壁部
３ｆ，３ｂ，３ｌ，３ｒ…内壁部
４ｆ，４ｂ，４ｌ，４ｒ…重ね部
５ｆ，５ｂ…つまみ部
４１…弱め部
【図１】
0003150193.tif 000003
【図２】
0003150193.tif 000004
【図３】
0003150193.tif 000005
【図４】
0003150193.tif 000006
【図５】
0003150193.tif 000007
【図６】
0003150193.tif 000008